(57)【要約】【課題】木質あらわし意匠を有する耐力面材を用いることで意匠性を向上させながら、省令準耐火構造の建築物の室内にも設置可能な間仕切耐力壁を提供すること。【解決手段】天井懐に横架される梁材２と、梁材２を支持する２本の柱材３と、２本の柱材３の間に架設される下枠材４と、梁材２、２本の柱材３及び下枠材４により形成される方形枠内に配置される木質あらわし意匠を有する耐力面材５と、を備える室内に配置される間仕切耐力壁において、梁材２の下部には、天井懐を被覆して室内の天井を形成する天井材９１が設けられており、耐力面材５は、天井材９１より下方に配置されて、２本の柱材３に固定され、天井材９１とは固定されないことを特徴とする間仕切耐力壁１。【選択図】図２
2020023802.tif 000002
【特許請求の範囲】
【請求項１】
天井懐に横架される梁材と、
前記梁材を支持する２本の柱材と、
前記２本の柱材の間に架設される下枠材と、
前記梁材、前記２本の柱材及び前記下枠材により形成される方形枠内に配置される木質あらわし意匠を有する耐力面材と、
を備える室内に配置される間仕切耐力壁において、
前記梁材の下部には、前記天井懐を被覆して前記室内の天井を形成する天井材が設けられており、
前記耐力面材は、前記天井材より下方に配置されて、前記２本の柱材に固定され、前記天井材とは固定されないことを特徴とする間仕切耐力壁。
【請求項２】
前記耐力面材が、ＣＬＴ（Ｃｒｏｓｓ  Ｌａｍｉｎａｔｅｄ  Ｔｉｍｂｅｒ）パネルであることを特徴とする請求項１に記載の間仕切耐力壁。
【請求項３】
前記耐力面材が、複数の分割面材を上下方向に接合することにより形成され、前記分割面材の接合部には実加工が施されていることを特徴とする請求項１または２のいずれか一項に記載の間仕切耐力壁。
【請求項４】
前記耐力面材と前記天井材との間に隙間を設けたことを特徴とする請求項１から３のいずれか一項に記載の間仕切耐力壁。
【請求項５】
前記耐力面材と、前記２本の柱材、前記下枠材及び前記天井材との取り合い部に化粧見切材を備え、
前記耐力面材の外形面は、前記２本の柱材から前記化粧見切材を介して２段内側に配置されたことを特徴とする請求項１から４のいずれか一項に記載の間仕切耐力壁。
【発明の詳細な説明】
【技術分野】
【０００１】
本発明は、木質あらわし意匠を有しながら省令準耐火構造の建築物の室内に配置可能な間仕切耐力壁に関する。
【背景技術】
【０００２】
建築物において、風や地震等による水平荷重に抵抗するため、所定の必要壁量を満たすように耐力壁が配置される。そのため、室内に配置される間仕切壁についても耐力壁とする場合がある。このような間仕切耐力壁は、一般的に、天井懐に横架される梁材と、梁材を支持する２本の柱材とを軸組とし、軸組に対して水平耐力を主とした耐力要素として構造用面材や筋交いを設けることによって耐力壁として構成したものに、石こうボードで被覆を行い、その上にクロス等で仕上げを行うことによって、室内で耐力を負担する間仕切耐力壁として使用される。しかし、間仕切耐力壁は、室内に配置されるため、インテリアを構成する要素として意匠性が求められ、特に、木造建築物においては、木のぬくもりや質感等が重視されることも多い。そのため、耐力要素として木質あらわし意匠を有する面材を用いることによって、意匠性を向上させた間仕切耐力壁がこれまでに提案されている（例えば、特許文献１参照）。
【０００３】
一方、独立行政法人住宅金融支援機構が、住宅等の建築物において省令準耐火構造というものを定めている。省令準耐火構造は、外部からの延焼防止、各室防火、他室への延焼遅延が考慮された構造となっており、木造建築物が省令準耐火構造として認証を受けた場合、通常の木造建築物よりも火災保険料が優遇されるため、省令準耐火構造に対応することが求められることも多い。省令準耐火構造では、室内の天井及び壁は、各室防火のための防火被覆として所定の厚さの石こうボードで被覆することが定められている。
【先行技術文献】
【特許文献】
【０００４】
【特許文献１】特開２０１１−１１１８６８号公報
【発明の概要】
【発明が解決しようとする課題】
【０００５】
しかしながら、上述のような木質あらわし意匠を有する耐力面材を用いた間仕切耐力壁は、面材の上部を梁材に対して固定する、または２本の柱材に横架された上枠材に対して固定する構造となっており、天井懐を被覆する天井材を貫通する形で間仕切耐力壁が設置される。従って、木質あらわし意匠を有する面材を用いた間仕切耐力壁を省令準耐火構造の建築物に設置しようとした場合にも、室内の天井を被覆する石こうボードを貫通してしまい、防火被覆が間仕切耐力壁によって破られる形になってしまっていた。以上のように、意匠性を優先し、木質あらわし意匠を有する耐力面材を用いた間仕切耐力壁とした場合、省令準耐火構造の建築物には設置できないという問題があった。
【０００６】
本発明は上記事情に鑑みてなされたものであって、木質あらわし意匠を有する耐力面材を用いることで意匠性を向上させながら、省令準耐火構造の建築物の室内にも設置可能な間仕切耐力壁を提供することを目的とする。
【課題を解決するための手段】
【０００７】
本発明に係る間仕切耐力壁は、天井懐に横架される梁材と、梁材を支持する２本の柱材と、２本の柱材の間に架設される下枠材と、梁材、２本の柱材及び下枠材により形成される方形枠内に配置される木質あらわし意匠を有する耐力面材と、を備える室内に配置される間仕切耐力壁において、梁材の下部には、天井懐を被覆して室内の天井を形成する天井材が設けられており、耐力面材は、天井材より下方に配置されて、２本の柱材に固定され、天井材とは固定されないことを特徴とする。
【０００８】
また、耐力面材が、ＣＬＴ（Ｃｒｏｓｓ  Ｌａｍｉｎａｔｅｄ  Ｔｉｍｂｅｒ）パネルであることを特徴とする。
【０００９】
また、耐力面材が、複数の分割面材を上下方向に接合することにより形成され、分割面材の接合部には実加工が施されていることを特徴とする。
【００１０】
また、耐力面材と天井材との間に隙間を設けたことを特徴とする。
【００１１】
また、耐力面材と、２本の柱材、下枠材及び天井材との取り合い部に化粧見切材を備え、耐力面材の外形面は、２本の柱材から化粧見切材を介して２段内側に配置されたことを特徴とする。
【発明の効果】
【００１２】
天井懐に横架される梁材と、梁材を支持する２本の柱材と、２本の柱材の間に架設される下枠材と、梁材、２本の柱材及び下枠材により形成される方形枠内に配置される木質あらわし意匠を有する耐力面材と、を備える室内に配置される間仕切耐力壁において、梁材の下部には、天井懐を被覆して室内の天井を形成する天井材が設けられており、耐力面材は、天井材より下方に配置されて、２本の柱材に固定され、天井材とは固定されないことを特徴とするため、室内の天井材を欠損させることなく木質あらわし意匠を有する耐力面材を用いた間仕切耐力壁の構成が可能となり、また、耐力面材は建築物にかかる鉛直方向の荷重の負担をしないため、耐力面材によって天井材に鉛直方向の力が加えられて天井材が破損することを防ぐことができる。従って、室内の天井が石こうボードで防火被覆されている省令準耐火構造の建築物にも適用することができる。
【００１３】
また、耐力面材がＣＬＴパネルであることを特徴とするので、耐力面材の表面には繊維方向が互いに略平行に揃えられた木質の意匠があらわれると共に、各層の繊維方向が互いに直交するように積層されているため、一般的な木材よりも剛性が高く、厚さの薄いＣＬＴパネルを用いたとしても良好な壁倍率を得ることができる。また、国産の木材を使用したＣＬＴパネルも製造されており、国産材の消費拡大にも貢献できる。
【００１４】
また、耐力面材が、複数の分割面材を上下方向に接合することにより形成され、分割面材の接合部には実加工が施されていることを特徴とするため、容易に運搬することができ、また、施工時に分割面材を下から順番に取り付けることができて、上下方向の位置合わせ等を行うことなく容易に施工することができる。
【００１５】
また、耐力面材と天井材との間に隙間が設けられていることを特徴とするため、耐力面材によって天井材に力が加えられて天井材が破損することを確実に防ぐことができる。
【００１６】
また、耐力面材と、２本の柱材、下枠材及び天井材との取り合い部に化粧見切材を備え、耐力面材の外形面は、２本の柱材から化粧見切材を介して２段内側に配置されたことを特徴とするため、耐力面材の軽量感が得られ、意匠性を向上させることができる。
【図面の簡単な説明】
【００１７】
【図１】本発明の一実施形態に係る間仕切耐力壁が室内に設置された様子を示す概略斜視図である。
【図２】本発明の一実施形態に係る間仕切耐力壁の正面図である。
【図３】本発明の一実施形態に係る間仕切耐力壁から化粧見切材を省略した一部省略正面図である。
【図４】本発明の一実施形態に係る間仕切耐力壁から化粧見切材及び耐力面材を省略した一部省略正面図である。
【図５】本発明の一実施形態に係る間仕切耐力壁の断面平面図または一部省略断面平面図である。（ａ）は図２のＡ−Ａ矢視図である。（ｂ）は図２のＡ−Ａ矢視図から下枠材、第１下化粧見切材及び第２下化粧見切材を省略した図である。（ｃ）は図３のＣ−Ｃ矢視図である。（ｄ）は図４のＤ−Ｄ矢視図である。
【図６】本発明の一実施形態に係る間仕切耐力壁の断面側面図または一部省略断面側面図である。（ａ）は図２のＢ−Ｂ矢視図である。（ｂ）は図４のＥ−Ｅ矢視図である。
【図７】本発明の間仕切耐力壁が室内に配置される態様を示した概略平面図である。
【発明を実施するための形態】
【００１８】
本発明に係る間仕切耐力壁の一実施形態について、以下、図面を参照しつつ説明する。
図１に示すように、本実施形態に係る間仕切耐力壁１は、建築物の室内に配置される。間仕切耐力壁１は、室内を完全に２つの空間に隔てるための壁またはその一部として用いられるものではなく、室を隔てないパーティションとして用いられる。間仕切耐力壁１は、木質あらわし意匠を有する耐力面材５が室内に露出した形で設置され、また、耐力面材５と、室内の天井を形成する天井材９１及び室内の床を形成する床材９２と、耐力面材５の左右に立設する柱材３との取り合い部には、化粧見切材６が取り付けられている。耐力面材５の木質あらわし意匠及び化粧見切材６が、場合によっては柱材３と共に、室内における間仕切耐力壁１の外観を構成している。
【００１９】
次に、間仕切耐力壁１の構成について説明する。図２に示すように、間仕切耐力壁１は、天井懐に横架される梁材２と、梁材２を支持する２本の柱材３と、２本の柱材３の間に架設される下枠材４と、により形成される方形枠の中に耐力面材５が配置されるが、梁材２の下部には、梁材２が横架される天井懐を被覆して、室内の天井を形成する天井材９１が設けられており、下枠材４の上面には、室内の床を形成する床材９２の端部が固定されている。従って、耐力面材５は、２本の柱材３と、天井材９１及び床材９２とによって形成される枠内に配置された形になっている。
【００２０】
梁材２と２本の柱材３とは、建築物の構造躯体として構成されており、梁材２は建築物の１階の天井懐に横架され、柱材３は建築物の基礎または土台の上に立設される。ただし、それに限らず、梁材２が建築物の２階の天井懐に横架され、柱材３が２階の床下に横架される梁材２の上に立設される、というように建築物の２階以上に設けられていてもよい。
【００２１】
図４に示すように、２本の柱材３の対向する面には、それぞれ縦取付下地材７１が取り付けられ、下枠材４の上面には、下取付下地材７５が取り付けられる。縦取付下地材７１は、柱材３に当接して固定される当接部７２と、当接部７２から突出する突出部７３とを有する断面Ｌ字状の長手状部材である。縦取付下地材７１の長手方向の長さは、天井材９１と床材９２との距離よりも短く、縦取付下地材７１は、天井材９１と床材９２との間で、柱材３の長手方向に沿って取付下地材固定用ビス８２によって取り付けられる。下取付下地材７５は、下枠材４の上面に当接して固定される当接部７６と、当接部７６から突出する突出部７７とを有する断面Ｌ字状の長手状部材である。下取付下地材７５の長手方向の長さは、下枠材４の長手方向の長さよりも短くなっており、下取付下地材７５は、下枠材４の長手方向に沿って取付下地材固定用ビス８２によって取り付けられる。図５（ｄ）、図６（ｂ）に示すように、縦取付下地材７１及び下取付下地材７５は、縦取付下地材７１の突出部７３の当接部７２からの立ち上がり面と、下取付下地材７５の突出部７７の当接部７６からの立ち上がり面とが略同一平面上の面となるように取り付けられる。面材固定用ビス８１は、耐力壁としての粘り性能を向上させるために高靭性のものを用いることが好ましい。ビスでなく釘でもよい。
【００２２】
耐力面材５は、下枠材４に取り付けられた下取付下地材７５の当接部７６の上に載置されて、２本の柱材３に取り付けられた縦取付下地材７１の当接部７２の間に、突起部７３及び突起部７７に当接するように嵌め込まれる。縦取付下地材７１の当接部７２の突起部７３と反対側の端部から突起部７３の立ち上がり面までの距離と、下取付下地材７５の当接部７６の突起部７７と反対側の端部から突起部７７の立ち上がり面までの距離とは、耐力面材５の厚さと略等しくなっており、図５（ｃ）、図６（ａ）に示すように、耐力面材５を取り付けた時に、当接部７２の突起部７３と反対側の端部の柱材３からの立ち上がり面と、当接部７６の突起部７７と反対側の端部の下枠材４からの立ち上がり面と、耐力面材５の表面とは略同一平面上の面となるようになっている。また、図５（ｂ）に示すように、耐力面材５が取り付けられたときに、耐力面材５が柱材３の幅方向略中心に位置するようになっている。
【００２３】
耐力面材５は、木質あらわし意匠を有し、耐力を負担することができる面材である。木質あらわし意匠を有する面材とは、面材の素材として用いられる木材の持つ素材感や質感等が面材の表面にあらわれて意匠性を有する面材である。耐力面材５は、構造用面材として用いられながら、化粧材も兼ねており、仕上げ材等によって仕上げを施すことなく、間仕切耐力壁１の外観には、耐力面材５が有する木質あらわし意匠があらわれることになる。本実施形態では耐力面材５には、ＣＬＴ（Ｃｒｏｓｓ  Ｌａｍｉｎａｔｅｄ  Ｔｉｍｂｅｒ）パネルを用いている。ＣＬＴパネルは、直交集成板とも呼ばれ、ひき板の繊維方向を互いに略平行にして幅方向に並べた層を、各層の繊維方向が互いに直交するように積層接着した木造パネルである。従って、ＣＬＴパネルの表面には、繊維方向が略平行に整った木質の意匠があらわれるため、意匠性に優れると共に、各層の繊維方向が直交するように積層されていることから、一般的な木材パネルよりも剛性が高く、薄型のＣＬＴパネルであっても耐力壁の耐力面材として良好な壁倍率が得られる。本実施形態の耐力面材５に用いるＣＬＴパネルとしては、厚さ１２ｍｍの層を３層積層した３６ｍｍの薄型ＣＬＴパネルを好適に用いることができるが、これに限らず、図５（ｂ）に示すように、耐力面材５の厚さは、柱材３の幅３１よりも短いものであればよく、例えば、柱材３の幅３１が１２０ｍｍの時、耐力面材５としては、３６ｍｍ〜９０ｍｍの厚さのＣＬＴパネルが好適に用いられる。また、板の層の積層数が奇数のＣＬＴパネルを用いると、ＣＬＴパネルの両側の表面にあらわれる繊維方向が等しくなるため、間仕切耐力壁１を構成した時に、正面側と裏面側で同様の外観が得られる。また、本実施形態では耐力面材５を複数の分割面材を上下方向に接合することによって構成しており、接合部は水平方向の線状となるため、ＣＬＴパネルの表面の層の繊維方向が水平方向となるようにすると、接合部を目立ちにくくすることができる。
【００２４】
図３及び図６に示すように、本実施形態では、耐力面材５は、下分割面材５１、中分割面材５２及び上分割面材５３の３つの分割面材からなり、これらの分割面材を上下方向に接合することによって構成される。下分割面材５１には下分割面材５１及び中分割面材５２の接合部にわたって突起状の雄実部５５が設けられ、中分割面材５２には雄実部５５と嵌合する溝状の雌実部５６が設けられており、雄実部５５及び雌実部５６が嵌合することによって下分割面材５１と中分割面材５２とが接合される。同様に、中分割面材５２には中分割面材５２及び上分割面材５３の接合部にわたって突起状の雄実部５７が設けられ、上分割面材５３には雄実部５７と嵌合する溝状の雌実部５８が設けられており、雄実部５７及び雌実部５８が嵌合することによって中分割面材５２と上分割面材５３とが接合される。
【００２５】
このように、耐力面材５を複数の分割面材で構成しているため、容易に運搬することができる。また、分割面材には実加工が施されているため、施工の際、まず、下分割面材５１を下取付下地材７５の当接部７６に載置して、２つの縦取付下地材７１の当接部７２の間に嵌め込んで、下分割面材５１を縦取付下地材７１の突起部７３に当接させて、下分割面材５１と突起部７３とを面材固定用ビス８１によって固定することで、下分割面材５１が取り付けられる。そして、中分割面材５２を、２つの縦取付下地材７１の当接部７２の間に嵌め込んで、既に取り付けられている下分割面材５１の雄実部５５と、中分割面材５２の雌実部５６を嵌合させることによって、中分割面材５２を下分割面材５１に接合し、中分割面材５２と当接する縦取付下地材７１の突起部７３に面材固定用ビス８１によって固定する。そしてその後上分割面材５３も同様に取り付ける、というように下から順番に分割面材を取り付けることができ、接合部の実加工によって、特に上下方向の位置決め等を行うことなく容易に施工することができる。
【００２６】
また、図６（ａ）に示すように、耐力面材５を縦取付下地材７１に固定した後、耐力面材５の上端部と天井材９１との間、つまり上分割面材５３の上端部と天井材９１との間には、隙間５９が設けられるようになっている。隙間５９が設けられていることによって、間仕切耐力壁１に多少の変形があっても、耐力面材５によって天井材９１に力が加えられて破損することを防ぐことができ、また、分割面材の実加工の精度にばらつきがあったり、分割面材の接合部が多少浮いてきたりした場合においても、上分割面材５３が天井材９１を圧迫して破損させてしまうことを防ぐことができる。隙間５９は、化粧見切材６によって覆い隠される大きさであればよい。本実施形態では隙間５９は１５ｍｍ程度としている。なお、本実施形態では耐力面材５を３つの分割面材によって構成しているが、２つまたは４つ以上の分割面材によって構成してもよい。また、分割することなく１つの面材で構成してもよい。
【００２７】
化粧見切材６は、耐力面材５と、２本の柱材３、天井材９１及び床材９２との取り合い部に取り付けられて、縦取付下地材７１、下取付下地材７５及び隙間５９を覆い隠し、間仕切耐力壁１の外観の意匠性を向上させる。
【００２８】
耐力面材５と柱材３との取り合い部には、図５（ｂ）に示すように、第１縦化粧見切材６１及び第２縦化粧見切材６２が取り付けられる。図５（ｃ）に示すように、耐力面材５が縦取付下地材７１に取り付けられた状態で、一方側は、耐力面材５の表面と縦取付下地材７１とは略同一平面となり、他方側は、耐力面材５の表面と縦取付下地材７１とは、突起部７３の分、耐力面材５の表面よりも縦取付下地材７１が突出した形になっている。第１縦化粧見切材６１は、断面長方形状で、長手方向の長さが天井材９１と床材９２との間の距離と略等しい長手状部材であり、耐力面材５の表面と縦取付下地材７１とが略同一平面となる一方側に、長手方向が柱材３に沿うようにして、耐力面材５の端部と縦取付下地材７１とに接着固定される。第１縦化粧見切材６１によって、縦取付下地材７１と耐力面材５との境界線、及び耐力面材５と縦取付下地材７１とを固定する面材固定用ビス８１が覆い隠される。第２縦化粧見切材６２は、断面Ｌ字状で、長手方向の長さが天井材９１と床材９２との間の距離と略等しい長手状部材であり、縦取付下地材７１が耐力面材５の表面よりも突出している他方側に、長手方向が柱材３に沿うようにして、耐力面材５の端部と縦取付下地材７１とに接着固定される。第２縦化粧見切材６２によって、縦取付下地材７１の突起部７３は覆い隠される。
【００２９】
耐力面材５と床材９２及び下枠材４との取り合い部には、図６（ａ）に示すように、第１下化粧見切材６３及び第２下化粧見切材６４が取り付けられる。耐力面材５が下取付下地材７５に取り付けられた状態で、一方側は、耐力面材５の表面と下取付下地材７５とは略同一平面となり、他方側は、耐力面材５の表面と下取付下地材７５とは、突起部７７の分、耐力面材５の表面よりも下取付下地材７５が突出した形になっている。第１下化粧見切材６３は、断面長方形状で、長手方向の長さが、取り付け後の２つの第１縦化粧見切材６１間の間隔と略等しい長手状部材であり、耐力面材５の表面と下取付下地材７５とが略同一平面となる一方側に、長手方向が下枠材４に沿うようにして、耐力面材５の端部と下取付下地材７５とに接着固定される。第１下化粧見切材６３によって、下取付下地材７５と耐力面材５との境界線が覆い隠される。第２下化粧見切材６４は、断面Ｌ字状で、長手方向の長さが、取り付け後の２つの第２縦化粧見切材６２間の間隔と略等しい長手状部材であり、下取付下地材７５が耐力面材５の表面よりも突出している他方側に、長手方向が下枠材４に沿うようにして、耐力面材５の端部と下取付下地材７５とに接着固定される。第２下化粧見切材６４によって、下取付下地材７５の突起部７７は覆い隠される。
【００３０】
耐力面材５と天井材９１との取り合い部には、図６（ａ）に示すように、上化粧見切材６５が取り付けられる。上化粧見切材６５は、断面長方形状で、長手方向の長さが、取り付け後の２つの第１縦化粧見切材６１間の間隔または２つの第２縦化粧見切材６２間の間隔と略等しい長手状部材であり、長手方向が天井材９１に沿うようにして、耐力面材５の両側の表面の端部に接着固定される。上化粧見切材６５によって、耐力面材５と天井材９１との間に設けられている隙間５９は覆い隠される。
【００３１】
このように化粧見切材６が取り付けられることで、図２に示すように、間仕切耐力壁１の一方側は、２つの第１縦化粧見切材６１、第１下化粧見切材６３及び上化粧見切材６５によって形成される枠を、他方側は、２つの第２縦化粧見切材６２、第２下化粧見切材６４及び上化粧見切材６５によって形成される枠を、それぞれ額縁として、耐力面材５がその中に配置されて飾られているような外観となる。また、２つの第１縦化粧見切材６１、第１下化粧見切材６３及び上化粧見切材６５によって形成される枠の表面、及び２つの第２縦化粧見切材６２、第２下化粧見切材６４及び上化粧見切材６５によって形成される枠の表面は、図５（ａ）、図６（ａ）に示すようにそれぞれ略同一平面となっている。そして、これらの化粧見切材６が形成する枠の表面は、それぞれ２本の柱材３の表面が形成する面よりも内側になるようになっており、図５（ｂ）に示すように、２本の柱材３の断面中心を通る線分を含む平面３２を対称面として、間仕切耐力壁１の外形は略面対称となっている。間仕切耐力壁１の外観は、耐力面材５が、柱材３から化粧見切材６を介して２段内側に入った形となっているため、耐力面材５の軽量感が得られる意匠となっており、また、耐力面材５が有する木質あらわし意匠が、化粧見切材６が形成する枠内にあらわれ、室内のインテリアの構成要素として優れた意匠性を発揮することができる。
【００３２】
以上のように、間仕切耐力壁１は、耐力面材５が、２本の柱材３にそれぞれ固定される縦取付下地材７１と、下枠材４に固定される下取付下地材７２と、天井材９１とによって形成される枠に配置されて、縦取付下地材７１に固定されることで、縦取付下地材７１を介して柱材３に固定される構造となっており、また、下取付下地材７５は耐力面材５の取り付けが容易になるように用いられて、耐力面材５と下取付下地材７５とは固定されず、また、耐力面材５の上部と天井材９１との間には隙間５９を有し、耐力面材５と天井材９１とは固定されない構造となっている。そのため、耐力面材５には、建築物にかかる鉛直方向の荷重を負担させないようになっており、耐力面材５によって天井材９１に力が加えられて天井材９１が破損することを防ぐ。また、間仕切耐力壁１の設置部で、耐力面材５の取り付けのために天井材９１に欠損が生じることがないため、省令準耐火構造の建築物においても、間仕切耐力壁１を設置することができる。また、耐力面材５が、縦取付下地材７１を介して構造躯体である柱材３に固定されるため、万が一、耐力面材５を破損等で交換することになった場合でも、構造躯体を傷つけることなく容易に耐力面材５を交換することができる。また、間仕切耐力壁１は、室を隔てないパーティションとして用いられることから、省令準耐火構造の建築物においても、耐力面材５に燃え代設計等を行うことなく、軽量感の得られる意匠を有する間仕切耐力壁１を構成できる。
【００３３】
本実施形態においては、図１及び図７（ａ）に示すように、間仕切耐力壁１の２本の柱材３はどちらも室内に立設されるあらわし柱である例を示したが、それに限らず、間仕切耐力壁１が室を隔てる壁、または室を隔てる壁の一部となっていなければよい。図７（ｂ）に示すように、２本の柱材３の少なくとも一方が室内の外周壁を構成する柱であってもよい。また、図７（ｃ）に示すように、２本の柱材３の少なくとも一方が間仕切壁を構成する柱であってもよい。また、図７（ｄ）に示すように、１つの柱材３を共用として２つの間仕切耐力壁１を連続配置してもよい。
【００３４】
上記はあくまで本発明に係る間仕切耐力壁の一実施形態を示したものであるため、本発明の思想を逸脱しない範囲で適宜変更可能である。
【符号の説明】
【００３５】
１      間仕切耐力壁                  ２      梁材                        
３      柱材                          ４      下枠材                      
５      耐力面材                      ５１    下分割面材                  
５２    中分割面材                    ５３    上分割面材                  
５５、５７    雄実部                  ５６、５８    雌実部                
６      化粧見切材                    ６１    第１縦化粧見切材            
６２    第２縦化粧見切材              ６３    第１下化粧見切材            
６４    第２下化粧見切材              ６５    上化粧見切材                
９１    天井材                        ９２    床材                        
【図１】
2020023802.tif 000003
【図２】
2020023802.tif 000004
【図３】
2020023802.tif 000005
【図４】
2020023802.tif 000006
【図５】
2020023802.tif 000007
【図６】
2020023802.tif 000008
【図７】
2020023802.tif 000009